(57)【要約】【課題】像保持体と搬送部材とが離間された場合にも記録媒体を確実に搬送することができる画像形成装置を提供する。【解決手段】画像形成装置１０は、帯状に形成され、記録媒体を搬送する搬送部材６０と、搬送部材６０と対向して搬送部材６０の搬送方向に並べて配置され、像を保持する複数の像保持体４０と、複数の像保持体４０に搬送部材６０を介してそれぞれ対向して配置され、搬送部材６０に接し、像保持体４０に保持された像を搬送部材６０に搬送される記録媒体に転写する複数の転写部材６２と、を有する。画像形成装置１０は、１つの像保持体４０と搬送部材６０とが対向し、他の３つの像保持体４０と搬送部材６０とが離間するようになる。この場合、離間した像保持体４０と搬送部材６０との間に押付部材７６が介在され、この押付部材７６が搬送部材６０を介して転写部材６２との間で搬送部材６０が搬送する記録媒体を挟むように押し付ける。【選択図】図２
2008164693.tif 000002
【特許請求の範囲】
【請求項１】
帯状に形成され、記録媒体を搬送する搬送部材と、
前記搬送部材と対向して前記搬送部材の搬送方向に並べて配置され、像を保持する複数の像保持体と、
前記複数の像保持体に前記搬送部材を介してそれぞれ対向して配置され、前記搬送部材に接し、前記像保持体に保持された像を前記搬送部材に搬送される記録媒体に転写する複数の転写部材と、
１つの像保持体と前記搬送部材とが接し、他の少なくとも１つの像保持体と前記搬送部材とが離間した場合、該離間した像保持体と前記搬送部材との間に介在され、前記搬送部材を介して前記転写部材との間で前記搬送部材が搬送する記録媒体を挟むように押し付ける押付部材と、
を有する画像形成装置。
【請求項２】
前記像保持体の搬送部材と対向する部分を覆う被覆部材をさらに有し、この被覆部材に前記押付部材が支持されている請求項１記載の画像形成装置。
【請求項３】
前記被覆部材は、前記搬送部材に搬送される記録媒体を案内する案内部を有する請求項２記載の画像形成装置。
【請求項４】
前記押付部材は前記搬送部材の搬送に従って回転するように前記被覆部材に支持されている請求項２又は３記載の画像形成装置。
【請求項５】
前記搬送部材は、重力方向上方に向けて記録媒体を搬送し、前記複数の像保持体は重力方向に沿って配置されている請求項１乃至４いずれか記載の画像形成装置。
【請求項６】
帯状に形成され、記録媒体を搬送する搬送部材と、
前記搬送部材と対向して前記搬送部材の搬送方向に並べて配置され、像を保持する複数の像保持体と、
前記複数の像保持体に前記搬送部材を介してそれぞれ対向して配置され、前記搬送部材に接し、前記像保持体に保持された像を前記搬送部材に搬送される記録媒体に転写する複数の転写部材と、
前記複数の像保持体の全てが前記搬送部材に接する第１の状態と、１つの像保持体と前記搬送部材とが接し、他の少なくとも１つの像保持体と前記搬送部材とが離間する第２の状態とに切り替える切替機構と、
この切替機構により第２の状態に切り替えられた場合、離間した像保持体と前記搬送部材との間に介在され、前記搬送部材を介して前記転写部材との間で搬送部材が搬送する記録媒体を挟むように押し付ける押付部材と、
を有する画像形成装置。
【請求項７】
前記第１の状態は複数の色を記録媒体に形成する状態であり、前記第２の状態は白黒単色を記録媒体に形成する状態である請求項６記載の画像形成装置。
【請求項８】
帯状に形成され、記録媒体を搬送する搬送部材と、
前記搬送部材と対向して前記搬送部材の搬送方向に並べて配置され、像を保持する複数の像保持体と、
前記複数の像保持体に前記搬送部材を介してそれぞれ対向して配置され、前記搬送部材に接し、前記像保持体に保持された像を前記搬送部材に搬送される記録媒体に転写する複数の転写部材と、
前記複数の像保持体の全てが前記搬送部材に接する第１の状態と、１つの像保持体と前記搬送部材とが接し、他の少なくとも１つの像保持体と前記搬送部材とが離間する第２の状態と、前記複数の像保持体の全てと前記搬送部材とが離間する第３の状態とに切り替える切替機構と、
この切替機構により第２の状態に切り替えられた場合、離間した像保持体と前記搬送部材との間に介在され、前記搬送部材を介して前記転写部材との間で搬送部材が搬送する記録媒体を挟むように押し付ける押付部材と、
前記切替機構により第３の状態に切り替えられた場合、前記複数の像保持体の搬送部材と対向する部分をそれぞれ覆う複数の被覆部材と、
を有する画像形成装置。
【請求項９】
前記押付部材は、前記搬送部材の搬送に従って回転するように前記被覆部材に支持されている請求項８記載の画像形成装置。
【請求項１０】
前記押付部材は、前記第２の状態で離間する像保持体に対してのみ設けられている請求項８又は９記載の画像形成装置。
【請求項１１】
少なくとも前記搬送部材、前記像保持体及び前記転写部材が内蔵された画像形成装置本体と、この画像形成装置本体の内部を外部に開放するように前記画像形成装置本体に設けられた開閉部材とをさらに有し、前記切替機構は前記開閉部材と連動して第１の状態又は第２の状態から第３の状態へ切り替える請求項８乃至１０いずれか記載の画像形成装置。
【発明の詳細な説明】
【技術分野】
【０００１】
本発明は、プリンタ、複写機、ファクシミリ等の画像形成装置に関する。
【背景技術】
【０００２】
この種の画像形成装置として、複数色の像をそれぞれ保持する像保持体と、記録部材を搬送する搬送部材とを有し、この搬送部材の搬送方向に複数の像保持体を並べて配置したものが知られている。このような画像形成装置において、白黒単色画像を形成する場合には、黒用の像保持体を搬送部材に対向させ、他の像保持体と搬送部材とを離間させるようにした技術が知られている。さらに、このように像保持体と搬送部材とを離間させると、搬送部材により搬送される記録媒体が搬送部材から剥がされたり、搬送部材に対する位置がずれたりするおそれがあるので、搬送補助ローラを配置して搬送部材に押し当てるようにすることも知られている（特許文献１）。
【０００３】
【特許文献１】特開２０００−３５２８８３号公報
【発明の開示】
【発明が解決しようとする課題】
【０００４】
本発明の目的は、像保持体と搬送部材とが離間された場合にも記録媒体を確実に搬送できるようにすることにある。
【課題を解決するための手段】
【０００５】
請求項１に係る本発明は、帯状に形成され、記録媒体を搬送する搬送部材と、前記搬送部材と対向して前記搬送部材の搬送方向に並べて配置され、像を保持する複数の像保持体と、前記複数の像保持体に前記搬送部材を介してそれぞれ対向して配置され、前記搬送部材に接し、前記像保持体に保持された像を前記搬送部材に搬送される記録媒体に転写する複数の転写部材と、１つの像保持体と前記搬送部材とが接し、他の少なくとも１つの像保持体と前記搬送部材とが離間した場合、該離間した像保持体と前記搬送部材との間に介在され、前記搬送部材を介して前記転写部材との間で前記搬送部材が搬送する記録媒体を挟むように押し付ける押付部材と、を有する画像形成装置である。
【０００６】
請求項２に係る本発明は、前記像保持体の搬送部材と対向する部分を覆う被覆部材をさらに有し、この被覆部材に前記押付部材が支持されている請求項１記載の画像形成装置である。
【０００７】
請求項３に係る本発明は、前記被覆部材は、前記搬送部材に搬送される記録媒体を案内する案内部を有する請求項２記載の画像形成装置である。
【０００８】
請求項４に係る本発明は、前記押付部材は前記搬送部材の搬送に従って回転するように前記被覆部材に支持されている請求項２又は３記載の画像形成装置である。
【０００９】
請求項５に係る本発明は、前記搬送部材は、重力方向上方に向けて記録媒体を搬送し、前記複数の像保持体は重力方向に沿って配置されている請求項１乃至４いずれか記載の画像形成装置である。
【００１０】
請求項６に係る本発明は、帯状に形成され、記録媒体を搬送する搬送部材と、前記搬送部材と対向して前記搬送部材の搬送方向に並べて配置され、像を保持する複数の像保持体と、前記複数の像保持体に前記搬送部材を介してそれぞれ対向して配置され、前記搬送部材に接し、前記像保持体に保持された像を前記搬送部材に搬送される記録媒体に転写する複数の転写部材と、前記複数の像保持体の全てが前記搬送部材に接する第１の状態と、１つの像保持体と前記搬送部材とが接し、他の少なくとも１つの像保持体と前記搬送部材とが離間する第２の状態とに切り替える切替機構と、この切替機構により第２の状態に切り替えられた場合、離間した像保持体と前記搬送部材との間に介在され、前記搬送部材を介して前記転写部材との間で搬送部材が搬送する記録媒体を挟むように押し付ける押付部材と、を有する画像形成装置である。
【００１１】
請求項７に係る本発明は、前記第１の状態は複数の色を記録媒体に形成する状態であり、前記第２の状態は白黒単色を記録媒体に形成する状態である請求項６記載の画像形成装置である。
【００１２】
請求項８に係る本発明は、帯状に形成され、記録媒体を搬送する搬送部材と、前記搬送部材と対向して前記搬送部材の搬送方向に並べて配置され、像を保持する複数の像保持体と、前記複数の像保持体に前記搬送部材を介してそれぞれ対向して配置され、前記搬送部材に接し、前記像保持体に保持された像を前記搬送部材に搬送される記録媒体に転写する複数の転写部材と、前記複数の像保持体の全てが前記搬送部材に接する第１の状態と、１つの像保持体と前記搬送部材とが接し、他の少なくとも１つの像保持体と前記搬送部材とが離間する第２の状態と、前記複数の像保持体の全てと前記搬送部材とが離間する第３の状態とに切り替える切替機構と、この切替機構によ第２の状態に切り替えられた場合、離間した像保持体と前記搬送部材との間に介在され、前記搬送部材を介して前記転写部材との間で搬送部材が搬送する記録媒体を挟むように押し付ける押付部材と、前記切替機構により第３の状態に切り替えられた場合、前記複数の像保持体の搬送部材と対向する部分をそれぞれ覆う複数の被覆部材と、を有する画像形成装置である。
【００１３】
請求項９に係る本発明は、前記押付部材は、前記搬送部材の搬送に従って回転するように前記被覆部材に支持されている請求項８記載の画像形成装置である。
【００１４】
請求項１０に係る本発明は、前記押付部材は、前記第２の状態で離間する像保持体に対してのみ設けられている請求項８又は９記載の画像形成装置である。
【００１５】
請求項１１に係る本発明は、少なくとも前記搬送部材、前記像保持体及び前記転写部材が内蔵された画像形成装置本体と、この画像形成装置本体の内部を外部に開放するように前記画像形成装置本体に設けられた開閉部材とをさらに有し、前記切替機構は前記開閉部材と連動して第１の状態又は第２の状態から第３の状態へ切り替える請求項８乃至１０いずれか記載の画像形成装置である。
【発明の効果】
【００１６】
請求項１に係る本発明によれば、本構成を有していない場合に比較して、記録媒体を確実に搬送することができる画像形成装置を提供することができる。
【００１７】
請求項２に係る本発明によれば、請求項１に係る本発明の効果に加えて、搬送中の記録媒体等から、像保持体を保護することができる。
【００１８】
請求項３に係る本発明によれば、請求項１又は２に係る発明の効果に加えて、記録媒体が押付部材と搬送部材との間に挟まれるように記録媒体を案内することができる。
【００１９】
請求項４に係る本発明によれば、請求項１乃至３いずれかに係る本発明の効果に加えて、本構成を有していない場合と比較して、記録媒体の搬送負荷を少なくすることができる。
【００２０】
請求項５に係る本発明によれば、記録媒体を重力方向上方に向けて搬送する場合であっても確実に記録媒体を搬送することができる。
【００２１】
請求項６に係る本発明によれば、本構成を有していない場合に比較して、第２の状態に切り替えられた場合にも記録媒体を確実に搬送することができる画像形成装置を提供することができる。
【００２２】
請求項７に係る本発明によれば、請求項６に係る発明の効果に加えて、白黒単色で画像形成する場合にも記録媒体を確実に搬送することができる。
【００２３】
請求項８に係る本発明によれば、本構成を有していない場合に比較して、記録媒体を確実に搬送することができ、しかも第３の状態にある場合には像保持体を保護することができる画像形成装置を提供することができる。
【００２４】
請求項９に係る本発明によれば、請求項８に係る本発明の効果に加えて、本構成を有していない場合に比較して、記録媒体の搬送負荷を少なくすることができる。
【００２５】
請求項１０に係る本発明によれば、請求項９に係る本発明の効果に加えて、構成を簡略化することができる。
【００２６】
請求項１１に係る本発明によれば、請求項８乃至１０いずれか記載の本発明の効果に加えて、開閉部材の開閉に応じて像保持体を保護することができる。
【発明を実施するための最良の形態】
【００２７】
以下、本発明の実施形態を説明する。尚、以下の説明は本発明を実施するのにあたっての一例に過ぎず、本発明が以下に説明される事項に限定されるわけではなく必要に応じて適宜変更可能である。
図１乃至図３において、本発明の実施形態に係る画像形成装置１０が示されている。この画像形成装置１０は、画像形成装置本体１２を有し、画像形成装置本体１２の下部には、記録媒体供給装置１４が配置されていると共に、画像形成装置本体１２の上部には排出部１６が形成されている。
【００２８】
記録媒体供給装置１４は、記録媒体収納部１８を有し、この記録媒体収納部１８に多数の記録媒体が積層される。この記録媒体収納部１８の一端上部には、フィードロール２０が配置されていると共に、このフィードロール２０に対向して捌きロール２２が設けられている。記録媒体収納部１８の最上位にある記録媒体がフィードロール２０により送り出され、フィードロール２０と捌きロール２２との協働により記録媒体が捌かれて搬送される。
【００２９】
記録媒体収納部１８から搬送された記録媒体は、レジストローラ２４により一時停止され、所定のタイミングにより後述する像保持体ユニット２６と転写ユニット２８との間及び定着装置３０を通って搬出ローラ３２により排出部１６へ排出される。定着装置３０は、加圧ロールと加熱ロールとからなり、加圧ロールと加熱ロールとの間に記録媒体を通すことにより記録媒体に転写された現像剤を熱と圧力とにより記録媒体に定着させる。
【００３０】
画像形成装置本体１２内には、像保持体ユニット２６、転写ユニット２８、電源ユニット３４及び制御部３６が配置されている。像保持体ユニット２６は、例えば４つの像保持体４０が重力方向に並べて配置されている。各像保持体４０の周囲には、像保持体４０を一様に帯電する帯電ロールを備えた帯電手段としての帯電装置４２と、各像保持体４０に書き込まれた潜像を現像剤（トナー）で現像する現像手段としての現像装置４４と、転写後の像保持体４０を除電する除電装置４６と、転写がなされた後に像保持体４０に残留する現像剤を除去する現像剤除去手段としてのクリーニング装置４８とを有する。
【００３１】
４つの現像剤カートリッジ５０は、像保持体ユニット２６の裏面側側方に接続されている。各現像剤カートリッジ５０は、画像形成装置本体１２の側面で画像形成装置本体１２に対して着脱自在に設けられている。また、各現像剤カートリッジ５０は、下方から順にイエロー、マゼンタ、シアン及び黒用のものであり、現像剤供給部５２と現像剤回収部５４とが一体になって構成されている。また、現像剤供給部５２は現像装置４４に接続されて各色の現像剤を現像装置４４に供給し、現像剤回収部５４はクリーニング装置４８に接続されて各色の現像剤を回収する。
【００３２】
光書込み装置５６は、それぞれレーザ露光装置からなり、像保持体ユニット２６の背面側にあって各像保持体４０に対応した位置に配置され、一様に帯電された像保持体４０に対してレーザを照射して潜像を形成するようになっている。
【００３３】
転写ユニット２８は、像保持体ユニット２６の表側にあって像保持体ユニット２６に対向して縦方向に配置されている。この転写ユニット２８は、帯状の搬送部材６０を有し、この搬送部材６０が上下方向に設けられた二つの支持ロール５８に架け渡されており、記録媒体を重力方向に搬送する。また、転写ユニット２８には、ロール状の転写部材６２が搬送部材６０を挟んで各像保持体４０に対向するように設けられている。これら転写部材６２は、搬送部材６０の裏面を押し付けるように付勢されて搬送部材６０の裏面に接している。これら転写部材６２には、像保持体４０に保持された現像剤とは逆極性の電位が付与され、像保持体４０に保持された現像剤を搬送部材６０により搬送された記録媒体に転写する。
【００３４】
また、最も下方に配置されたイエロー用の転写部材６２の上流側（下方側）には第１のテンションロール６４が配置され、また、最も上方に配置された黒用の転写部材６２とこの黒用の転写部材６２の下方に配置されたシアン用の転写部材６２との間には第２のテンションロール６６が配置されている。この第１のテンションロール６４と第２のテンションロール６６とは、搬送部材６０の裏面に接し、所定の張力が搬送部材６０に付与されるように搬送部材６０を支持している。さらにイエロー、マゼンタ及びシアン用の転写部材６２に対向して３つの補助ロール６８が搬送部材６０の反対側の裏面に接触している。
なお、搬送部材６０の入口部分よりも上流側には記録媒体に電荷を付与する電荷付与部材（図示せず）が設けられ、記録媒体と搬送部材６０との間に電位差を付けて記録媒体を搬送部材６０に吸着するようになっている。
【００３５】
開閉部材７０は、画像形成装置本体１２に開閉部材支持軸７２を介して回転するように設けられている。この開閉部材７０は、図３に示すように、転写ユニット２８と一体となって開閉され、この開閉部材７０を開くことにより、詰まった記録媒体を除去し、また像保持体ユニット２６を画像形成装置本体１２から脱着することができるようにするものである。
【００３６】
図１に示すように、４つの像保持体４０の全てが搬送部材６０に対向して搬送部材６０と接している状態が第１の状態であってフルカラーモードである。この第１の状態にあっては、像保持体４０の全てが駆動されて搬送部材６０により搬送される記録媒体にはフルカラーの画像が形成される。
【００３７】
図２に示すように、イエロー、マゼンタ及びシアン用の像保持体４０が搬送部材６０から離間し、黒用の像保持体４０のみが搬送部材６０に対向して搬送部材６０と接触している状態が第２の状態であって白黒単色モードである。この第２の状態にあっては、イエロー、マゼンタ及びシアン用に像保持体４０は駆動が停止され、黒用の像保持体４０のみが駆動され、搬送される記録媒体には白黒画像が形成される。イエロー、マゼンタ及びシアン用に像保持体４０を搬送部材６０から離間させるために、イエロー、マゼンタ及びシアン用の転写部材４０、第１のテンションロール６４、第２のテンションロール６６及び補助ロール６８が像保持体４０から離れる方向に移動する。補助ロール６８も併せて移動させるのは、搬送部材６０の周長を一定に保つためである。
【００３８】
この第２の状態にあっては、イエロー、マゼンタ及びシアン用に像保持体４０の搬送部材６０側の面が被覆部材７４により被覆される。また、図４にも示すように、被覆部材７４には押付部材７６が設けられている。この押付部材７６はコロ状のもので、像保持体４０の軸方向に例えば４つ設けられ、被覆部材７４の搬送部材６０側に突出するように被覆部材７４に回転自在に支持されている。この押付部材７６は、離間した像保持体４０と搬送部材６０との間に介在され、搬送部材６０の移動に伴って従動回転し、搬送部材６０を介してイエロー、マゼンタ及びシアン用の転写部材６２との間で搬送部材６０が搬送する記録媒体を挟むように押し付けるようになっている。また、被覆部材７４の押付部材７６よりも上流側の部分には、案内部７８が像保持体４０の軸方向に形成されている。この案内部７８は、搬送部材６０側に突出して形成され、搬送される記録媒体が搬送部材６０から剥離しないように記録媒体を案内する。
なお、この実施形態においては、押付部材７６が搬送部材６０の移動に伴って従動回転するように構成されているが、他の実施形態として、押付部材７６は被覆部材７４に固定されたものとして構成することができる。また、被覆部材７４は省略することもできる。
【００３９】
図３に示すように、開閉部材７０と連動して４つの像保持体４０の全てが搬送部材６０から離間した状態が第３の状態である。この第３の状態にあっては、イエロー、マゼンタ及びシアン用の像保持体４０に加えて黒用の像保持体４０の搬送部材６０側の面が被覆部材７４により被覆される。ただし、この被覆部材７４には押付部材は設けられていない。
【００４０】
上述した第１の状態、第２の状態及び第３の状態は切替機構により切り替えられる。
図５乃至図９において、切替機構８０に関する第１の具体例が示されている。
図７乃至図９に示すように、転写ユニット２６は、転写ユニット本体８２を有し、この転写ユニット本体８２に前述した支持ロール５８が回転自在に支持されている。上方に位置する支持ロール５８の支持軸は、転写ユニット本体８２に対して上下方向へ移動可能に転写ユニット本体８２に支持されており、該支持ロール５８と転写ユニット本体８２との間には第１の付勢部材８３が設けられている。この第１の付勢部材８３は、例えば引っ張りばねであり、上方の支持ロール５８を上方へ付勢し、搬送部材６０に張力を付与している。一方、下方の支持ロール５８は駆動源に連結されて回転し、搬送部材６０を駆動するようになっている。
【００４１】
転写ユニット本体８２には、支持部材８４が搬送部材６０の搬送方向とは直交する方向に移動自在であるように設けられている。この支持部材８４は、イエロー、マゼンタ及びシアン用の転写部材６２、第１のテンションロール６４、第２のテンションロール６６及び補助ロール６８（図５乃至図９においては図示せず）を支持している。転写ユニット本体８２と支持部材８４との間にはカム８６,８６が設けられている。カム８６,８６はモータ等の駆動源に連結され、支持部材８４を搬送部材６０の搬送方向とは直交する方向に動かす。また、転写ユニット本体８２と支持部材８４との間には第２の付勢部材８８,８８が設けられている。第２の付勢部材８８,８８は例えば押圧ばねであり、支持部材８４を搬送部材６０方向に付勢する。図７に示す第１の状態にあっては、カム８８,８８は下死点にあって支持部材８４が第２の付勢部材８８,８８に付勢されてイエロー、マゼンタ及びシアン用の転写部材６２が搬送部材６０を挟んで像保持体４０に当たるようになる。この状態からカム８８,８８を上死点まで回転させると、第２の付勢部材８８,８８に抗して支持部材８４が搬送部材６０から離れる方向へ移動し、イエロー、マゼンタ及びシアン用の像保持体４０と搬送部材６０とが離間し、図８に示す第２の状態とすることができる。また、支持部材８４には、後述する駆動部材９４の先端に対向して突当て部９０が形成されている。
【００４２】
前述した像保持体ユニット２６には像保持体支持部９２が設けられ、この像保持体支持部９２に像保持体４０が回転自在に支持されている。この像保持体支持部９２には駆動部材９４が搬送部材６０の搬送方向とは直交する方向に摺動自在であるように設けられている。即ち、像保持体支持部９２には、第１の案内ピン９６と第２の案内ピン９８とが搬送部材６０の搬送方向とは直交する方向に並べられて設けられ、駆動部材９４には、搬送部材６０の搬送方向とは直交する方向に長い第１の案内溝１００と第２の案内溝１０２とが搬送部材６０の搬送方向とは直交する方向に形成され、第１の案内ピン９６と第２の案内ピン９８とが第１の案内溝１００と第２の案内溝１０２に係合しており、駆動部材９４は、第１の案内ピン９６、第２の案内ピン９８、第１の案内溝１００及び第２の案内溝１０２を介して像保持体支持部９２に対して摺動自在であるようになっている。
【００４３】
また、像保持体支持部９２と駆動部材９４との間には第３の付勢部材１０４が設けられている。この第３の付勢部材１０４は例えば引っ張りばねで、駆動部材９４の先端が前述した突当て部９０に当たるように駆動部材９４を付勢する。
【００４４】
また、像保持体支持部９２には被覆部材支持軸１０６が回転自在であるように設けられている。この被覆部材支持軸１０６には第１の連結部材１０８と第２の連結部材１１０が固定されている。第１の連結部材１０８には第３の案内ピン１１２が設けられ、この第３の案内ピン１１２が像保持体支持部９２に形成された第３の案内溝１１４に係合している。第３の案内溝１１４には緩衝部材１１６が配置され、この緩衝部材１１６により、被覆部材７４が像保持体４０を被覆する場合に緩衝作用を生じさせるようになっている。
【００４５】
第２の連結部材１１０の先端は被覆部材７４に連結されている。被覆部材７４の他端には第４の案内ピン１１８が設けられている。一方、像保持体支持部９２には第４の案内溝１２０が形成され、この第４の案内溝１２０に第４の案内ピン１１８が係合している。また、この第１の連結部材１０８には第５の案内ピン１２２が設けられている。一方、駆動部材９４には第５の案内溝１２４が形成され、この第５の案内溝１２４に第５の案内ピン１２２が係合している。
【００４６】
図７に示す第１の状態にあっては、支持部材８４が第２の付勢部材８８により像保持体４０側に付勢されているので、全ての転写部材６２が像保持体４０に搬送部材６０を介して当たっている。また、突当て部９０が像保持体４０に近い位置にあるので、先端が突当て部９０に突当てられた駆動部材９４は第３の付勢部材１０４に抗して後退した位置にあり、第５の案内溝１２４、第５の案内ピン１２２及び第２の連結部材１１０を介して被覆部材７４が引っ張られ、被覆部材７４及び押付部材７６が像保持体４０から離れた位置に固定される。
【００４７】
ここで、突当て部材９０が図５のＡ方向に移動すると、駆動部材９４が第３の付勢部材１０４の付勢力により駆動部材９４の先端が突当て部９０に突当たる状態を維持するようにＡ方向へ移動する。これにより第５の案内ピン１２２が第５の案内溝１２４に押圧され、第１の連結部材１０８及び第２の連結部材１１０が被覆部材支持軸１０６を支点として反時計方向に回転する。第２の連結部材１１０が反時計方向に回転すると、第４の案内ピン１１８が第４の案内溝１２０に案内され、被覆部材７４が像保持体４０の開放部分を覆うように移動し、併せて押付部材７６が転写部材６０との間で搬送部材６０を挟む位置まで移動し、図８に示す第２の状態となる。
【００４８】
図９に示す第３の状態にあっては、転写ユニット２６が黒用の像保持体４０から離れるので、駆動部材９４の先端が突当て部９０から離れ、駆動部材９４が第３の付勢部材１０４の付勢力により搬送部材６０側に移動する。したがって、駆動部材９４により被覆部材７４が動かされ、像保持体４０の開放部分を被覆部材７４により覆うようになる。
【００４９】
図１０乃至図１２において、切替機構８０に関する第２の具体例が示されている。
この第２の具体例においては、前述した像保持体ユニットに第１のカム部材１２６と第２のカム部材１２８とが上下方向に摺動自在であるように設けられている。第１のカム部材１２６は、前述したカム８６,８６が係合している。また、この第１のカム部材１２６は例えば圧縮ばねである第４の付勢部材１３０により上方へ付勢されている。第２のカム部材１２８は、前述した転写ユニット本体に設けられた規制部１３２に上端が当たって上方への移動が規制されていると共に、例えば圧縮ばねである第５の付勢部材１３４により上方へ付勢されている。
【００５０】
第１のカム部材１２６には、第６の案内溝１３６がイエロー、マゼンタ及びシアン用の被覆部材７４に対応してそれぞれ形成されている。イエロー、マゼンタ及びシアン用の被覆部材７４には第６の案内ピン１３８が設けられ、この第６の案内ピン１３８が第６の案内溝１３６にそれぞれ係合している。
【００５１】
第２のカム部材１２８には、第７の案内溝１４０が黒用の被覆部材７４に対応して形成されている。黒用の被覆部材７４には第７の案内ピン１４２が設けられ、この第７の案内ピン１４２が第７の案内溝１４０に係合している。
なお、黒用の転写部材６２よりも上方には第３のテンションロール１４４が設けられている。
【００５２】
図１０に示す第１の状態にあっては、支持部材８４が第２の付勢部材８８により像保持体４０側に付勢されているので、全ての転写部材６２が像保持体４０に搬送部材６０を介して当たっている。また、第１のカム部材１２６がカム８６,８６に押圧されて下方位置にあり、第２のカム部材１２８が規制部１３２により規制されて下方位置にあるので、全ての被覆部材被覆部材７４及び押付部材７６が像保持体４０から離れた位置に固定される。
【００５３】
ここで、カム８６,８６が図１０の位置から反時計方向に９０°回転すると、支持部材８４が第２の付勢部材８８に抗して像保持体４０から離れる方向へ移動するので、イエロー、マゼンタ及びシアン用像保持体４０と搬送部材６０とが離間する。また、第１のカム部材１２６が第４の付勢部材１３０により押圧されて上方へ移動する。第１のカム部材１２６が上方へ移動すると、第６の案内溝１３６及び第６の案内ピン１３８を介してイエロー、マゼンタ及びシアン用の被覆部材７４及び押付部材７６が反時計方向に動かされる。これにより被覆部材７４が像保持体４０の開放部分を覆うように移動し、併せて押付部材７６が転写部材６０との間で搬送部材６０を挟む位置まで移動し、図１１に示す第２の状態となる。
【００５４】
図１２に示す第３の状態にあっては、転写ユニット２６の規制部１３２が第２のカム部材１２８から離れるので、第２のカム部材１２８が第５の付勢部材１３４に押圧されて上方へ移動する。第２のカム部材が上方へ移動すると、第７の案内溝１４０及び第７の案内ピン１４２を介して黒用の被覆部材７４が反時計方向に動かされる。これにより被覆部材７４が像保持体４０の開放部分を覆うように移動する。
【００５５】
なお、上記第２の具体例においては、第１のカム部材と第２のカム部材とが付勢部材により駆動されるようにしたが、これに限定させるものではなく、支持部材８４および像保持体ユニット２６の移動に連動して、例えばカムやラックアンドピニオンにより駆動する等、種々の駆動手段を用いることができる。また上記第１及び第２の具体例では、下方の支持ロール５８が駆動源に連結されて回転し、搬送部材６０を駆動するようになっているが、上方の支持ロール５８を駆動してもよい。この場合記録媒体搬送面は搬送部材６０の張力が高い側となるので、記録媒体を搬送する上で好ましい。
【図面の簡単な説明】
【００５６】
【図１】本発明の実施形態に係る画像形成装置の側面図であり、第１の状態（フルカラーモード）を示す。
【図２】本発明の実施形態に係る画像形成装置の側面図であり、第２の状態（白黒単色モード）を示す。
【図３】本発明の実施形態に係る画像形成装置の側面図であり、第３の状態（開放状態）を示す。
【図４】本発明の実施形態に用いた像保持体、被覆部材及び押付部材を示す斜視図である。
【図５】本発明の実施形態に用いた切替機構の第１の具体例であってイエロー用の像保持体周辺を示す側面図であり、第１の状態を示す。
【図６】本発明の実施形態に用いた切替機構の第１の具体例であってイエロー用の像保持体周辺を示す側面図であり、第２の状態を示す。
【図７】本発明の実施形態に用いた切替機構の第１の具体例であって全体を示す側面図であり、第１の状態を示す。
【図８】本発明の実施形態に用いた切替機構の第１の具体例であって全体を示す側面図であり、第２の状態を示す。
【図９】本発明の実施形態に用いた切替機構の第１の具体例であって全体を示す側面図であり、第３の状態を示す。
【図１０】本発明の実施形態に用いた切替機構の第２の具体例であって全体を示す側面図であり、第１の状態を示す。
【図１１】本発明の実施形態に用いた切替機構の第２の具体例であって全体を示す側面図であり、第２の状態を示す。
【図１２】本発明の実施形態に用いた切替機構の第２の具体例であって全体を示す側面図であり、第３の状態を示す。
【符号の説明】
【００５７】
１０  画像形成装置
１２  画像形成装置本体
２６  像保持体ユニット
２８  転写ユニット
４０  像保持体
６０  搬送部材
６２  転写部材
７０  開閉部材
７４  被覆部材
７６  押付部材
７８  案内部
８０  切替機構
８３  第１の付勢部材
８８  第２の付勢部材
９０  突当て部
９４  駆動部材
１０４  第３の付勢部材
１２６  第１のカム部材
１２８  第２のカム部材
１３０  第４の付勢部材
１３２  規制部
１３４  第５の付勢部材
【図１】
2008164693.tif 000003
【図２】
2008164693.tif 000004
【図３】
2008164693.tif 000005
【図４】
2008164693.tif 000006
【図５】
2008164693.tif 000007
【図６】
2008164693.tif 000008
【図７】
2008164693.tif 000009
【図８】
2008164693.tif 000010
【図９】
2008164693.tif 000011
【図１０】
2008164693.tif 000012
【図１１】
2008164693.tif 000013
【図１２】
2008164693.tif 000014